(57)【要約】【課題】本発明は、従来デパートやスーパーマーケット等にあるショッピングカート同様に連結して容易に移動できるこのカートにより、車いす又は、ベビーカーを押しながら重たいかごを持ち運ぶことなく、介護者又は、ベビーカーを押す人にとって、労力と時間の負担を解決する事を目的とするものである。【解決手段】本発明の車いす又は、ベビーカー用のショッピングカートは、フレーム５の両側面と前面に取り付けられる壁部６を有し、後面と上面を解放され上下２段のボックス型のかご２，３を重ね合わせて形成されるカート１からなり、下段のフレーム５に車輪等の走行手段７が取り付けられ、車いす４又は、ベビーカー１０の後部に着脱可能に連結され、車いす４やベビーカー１０のハンドル操作８、１１により一体的に走行させるものである。【選択図】図１
2009190716.tif 000002
【特許請求の範囲】
フレームの両面と前面に取り付けられる壁部を有し、後面と上面を開放され上下２段のボックス型のかごを重ね合わせて形成されるカートからなり、下段のフレーム下面に車輪等の走行手段が取り付けられ、車いす又はベビーカーの後部に着脱可能に連結され、車いす又はベビーカーのハンドル操作により一体的に走行させる車いす又はベビーカー用ショッピングカート
【発明の詳細な説明】
【技術分野】
【０００１】  本発明は車いすを利用する者、又はベビーカーを利用する者がショッピングの時に使用する車いす用のショッピングカートに関するものである。
【背景技術】
【０００２】  従来、車いす利用者がデパートやスーパーマーケットで買い物をする場合、一般の買い物客が利用するショッピングカートを用いる事が出来なかった為、車イス前方に専用カートを取り付け、車イスに座った人の足部が入り込むように形成され車イスに座った状態で商品を収納できるよう着脱可能に車イス先端部に取り付けた専用カートがある（例えば、特許文献１参照。）。又、ショッピングカートかごを保持する為に門型フレームを車椅子前部に着脱可能に連結して使用する車椅子用ショッピングカートがある（例えば、特許文献２参照。）。【０００３】
【特許文献１】特開平０８−２４４６１９号公報
【特許文献２】特開２００２−０１９６１３号公報
【発明の開示】
【発明が解決しようとする課題】
【０００４】  車いす使用者と介護者の二人で買い物に出かけた場合、従来あるショッピングカートを使用したいのだが、介護者は車いすとショッピングカートを同時に押す事が出来ない為かごを使用していた。【０００５】  介護者は、このかごを持って品物を入れながら車いすを押すが、品物が多くなるに従って介護者は重たいかごを下げながら車いすを押さなければならなかった。【０００６】  かごを車いす使用者の膝にのせて買い物をする場合も足が悪い為に車いすを使用しているのであるから、重くならないよう配慮をしなければならなかった。その為に車いす左右の肘掛にのせるトレイもあるが、かごの容量分の品数になり、いずれも買い物を制限しなければならなかった。【０００７】  車いす専用の前方に取り付けたかごの場合、車いす利用者自身、かごが身体から離れている為に本人が身体を動かさなければ品物をかごに入れることが大変であった。【０００８】  店の陳列棚は、車いすから取れる品物が限られている為介護者が車いす使用者の欲しい品物を取って車いすの前にあるかごに入れてあげていた。【０００９】  介護者は、車いすを押す事と車いす使用者の依頼する品物をかごに入れる為にその都度移動する必要があった。【００１０】  上記の理由により介護者が重たいかごを持ちながら車いすを押す事は、大きな負担となる為介護者はショッピングカートを使いたいのだが、車いすとショッピングカートを同時に押す事は出来ず交互に押す事になり介護者にとって時間と労力が必要であった。【００１１】  ベビーカーを押しながらの買い物も車いすを押す介護者同様の状況であった。【００１２】  車いす自体、大きく場所をとっているがその上にカートを前に取り付ける事で、一層広い場所を必要とし周囲に気を使いながらの買い物になっていた。【００１３】  本発明は従来スーパーマーケット等にあるショッピングカート同様に、連結して容易に使用できるこのカートにより、車いす又はベビーカーを押しながら重たいかごを持ち運ぶ事なく介護者又はベビーカーを押す人にとって、労力と時間の負担を解決することを目的とするものである。
【課題を解決するための手段】
【００１４】  本発明による車いす用ショッピングカートは、フレームの両側面と前面に壁部を有し、後面と上面を解放される上下２段のボックス型のかごを重ね合わせて形成されるカートからなり、下段のフレームの下面に車輪等の走行手段を取り付けて、車いす又はベビーカーの後部に着脱可能に連結され、車いす又はベビーカーのハンドル操作により一体的に走行させる事を特徴とするものである。
【発明の効果】
【００１５】  従来スーパーマーケット等にあるショッピングカート同様に、連結して容易に使用出来るこのカートにより、車いす又はベビーカーを押しながら重たいかごを持ち運ぶ事がなくなり、介護者又はベビーカーを押す人にとって労力と時間の負担を解決する事が出来るのである。【００１６】  車いす使用者自ら品物を取ることが出来ない場合、依頼する品物を介護者が代わりに取って後部に取り付けてあるこのカートに入れればよいので、介護者は、その都度、前へ移動する必要がなくなるのである。又、後部にあるので車いす使用者や介護者は、前方の視野を確保する事が出来るのである。【００１７】  このカートを自身のベビーカーに取り付けることにより子供をマーケットやデパートにあるショッピングカートに移動させる必要がなく安心して買い物をする事ができる。【００１８】  このカートは、車いす後部にコンパクトに収められる為広いスペースを取らず、周囲に気を使うことなく走行させる事が出来るので、買い物途中で、車いす使用者を待たせておく事もなくなり、介護者は車いすから離れずに買い物を続ける事が出来る。【００１９】  上段かごは、取り外し可能でレジカウンターにのせ精算をしてもらう事ができる。下段かごも品物を入れる事ができ、マーケットやデパート等にある従来のショッピングカート同様にこのカートを使用できるので、複数で出かけることなく、一度に必要なものを買う事が出来るのである。
【発明を実施するための最良の形態】
【００２０】  本発明による車いす又はベビーカー用ショッピングカートは、フレーム５の両側面と前面にネット又は布地や板状の壁部６を有し、後面と上面を解放される上下２段のボックス型のかご２，３を重ね合わせて形成されるカート１からなり、下段のかご３のフレーム５の下面に車輪等７の走行手段が取り付けられ車いす４のハンドル８を操作して車いす４とカート１を同時的に走行させるものである。【００２１】  このショッピングカート１は、図１に示すように車いす４の後部にコンパクトに収められ上下２段のネット６からなるかご２，３は、従来デパートやスーパーマーケット等にあるかご同様のステインレス又は合成樹脂で形成されている。繋ぎ手段９は車いす４とカート１が一体になれば材質は問わない。【００２２】図２にある上段かご２は、品物が入れ易いように上面と前面が広く解放されている。又、図３の下段かごは前面部分が解放されている事で商品を充分に収納することができ介護者にとってこのカート１を車いす４に取り付ける事で一度に必要な買い物をする事ができるのある。【００２３】  下段フレーム５に車輪７を取り付け容易に車いす４と一体的に移動させる事ができる効果は、介護者の時間と労力の負担を解決する事ができる為、車いす使用者も介護者もショッピングを楽しむ事が出来るようになる。【００２４】  上段かご２は、取り外し可能で精算時、レジカウンターにのせ、従来あるデパート等のかご同様に取り扱うことができる。【００２５】  ベビーカー１０後部左右支柱に繋ぎ手段１２を取り付ける事で買い物時の安定性を保つ事が出来る。繋ぎ手段１２のアーム部分は、固定できる材質が望ましい。又、上段かご２の上面が解放されている為ベビーカー１０を押す人は、ハンドル１１の位置を意識せずに品物を出し入れする事ができ、カート１を自身のベビーカー１０に連結させる事が出来るので子供をデパート等のショッピングカートに移動させる必要がなくなり、安心して買い物をする事ができるのである。【００２６】  尚、カート１は、下段かご下面が布製ネット等で形成した場合、上下段かごが一体に折りたたみ可能となり不使用時、スペースを取らず収納する事ができる。
【図面の簡単な説明】
【００２７】
【図１】は、本発明による車いす用ショッピングカートを示す側面側の略示図である。
【図２】は、カートの上部側のかごを示す斜視図である。
【図３】は、同じくカートの下部側のかごを示す斜視図である。
【図４】は、ベビーカーの使用側を示す略示図である。
【符号の説明】
【００２８】  １  カート
２  上段側のかご
３  下段側のかご
４  車いす
５  フレーム
６  壁部
７  キャスター
８  ハンドル
９  繋ぎ手段
１０  ベビーカー
１１  ベビーカーのハンドル
１２  ベビーカー１０の繋ぎ手段
【図１】
2009190716.tif 000003
【図２】
2009190716.tif 000004
【図３】
2009190716.tif 000005
【図４】
2009190716.tif 000006